(57)【要約】【課題】本発明は、表示面とボタン面とを密着させる必要がある場合にも、ポジショニングボタンの触覚性を維持した状態で、ポジショニングボタンが表示面に干渉することにより生じる表示面の傷を防止することができる携帯電話機を提供することを課題とする。【解決手段】ポジショニングボタン１２には、凹み部１３が設けられるとともに、凹み部１３の中央に突起１４が形成され、凹み部１３と突起１４とに操作者が指で触れることにより、ポジショニングボタン１２の位置を確認することができる。すなわち触覚性のある構成となっており、突起１４の突出量１５は、凹み部１３の凹み量と同量以下に形成され、突起１４の先端とフレーム１０の面位置とが同じ高さもしくは突起１４の先端がフレーム１０の面位置より低くなるよう設定されている。【選択図】      図１
2006067635.tif 000002
【特許請求の範囲】
【請求項１】
表示画面を有する表示面と操作ボタンを有するボタン面とが、閉じた状態で対向する開閉可能な携帯電話機であって、前記ボタン面は、操作ボタンを配列したフレームと、操作ボタンに凹み部と前記凹み部内に突起部とが形成された第一の操作ボタンと、操作ボタンに突起部を有しない第二の操作ボタンと、とを含み、閉じた状態において前記突起部と対向する前記表示面との間にクリアランスが発生することを特徴とする携帯電話機。
【請求項２】
前記第二の操作ボタンに凹み部が形成されていることを特徴とする請求項１に記載の携帯電話機。
【請求項３】
前記クリアランスは、前記第二の操作ボタンと対向する前記表示面との間のクリアランスと同量以上、前記フレームと対向する前記表示面との間のクリアランスと同量以下、であることを特徴とする請求項１又は２に記載の携帯電話機。
【請求項４】
前記突起部の突出量は、前記第一の操作ボタンの凹み部の凹み量と同量以下に形成され、前記突起部の先端と前記フレームの面位置とが同じ高さ、もしくは前記突起部の先端が前記フレームの面位置より低くなるように構成されていることを特徴とする請求項１又は２に記載の携帯電話機。
【発明の詳細な説明】
【技術分野】
【０００１】
本発明は、表示面とボタン面とが折り畳んだ際に対向する折り畳み型携帯電話機に関し、特に折り畳んだ際に表示面とボタン面とを密着させる必要がある折り畳み型携帯電話機に関する。
【背景技術】
【０００２】
従来、折り畳み型携帯電話機では、折り畳んだ状態で液晶ディスプレイ等の表示面と電話番号等を入力するボタン面とが向かい合うのが一般的である。また、一般的にボタン面の５番キーがポジショニングボタンといわれ、上面に突起を有し、操作者が指でボタン配置を確認するのに用いられる。
【０００３】
また、折り畳み型携帯電話機は、折り畳んだ状態を検出して表示を切る機能を有しているのが一般的であり、表示面側にリードスイッチと呼ばれる磁力に反応するスイッチを有し、ボタン面側に磁石を配し、折り畳んだ状態においてリードスイッチが磁石の磁力線に反応し、ＯＮ／ＯＦＦする（以下、開閉検出と称す）。
【特許文献１】特開平１１−１１２６２７号公報
【特許文献２】実開昭５９−６１４２７号のマイクロフィルム
【発明の開示】
【発明が解決しようとする課題】
【０００４】
しかしながら、従来技術では、表示面側のリードスイッチとボタン面側の磁石とで開閉検出を行うためには、折り畳んだ状態での表示面とボタン面とを密着させる必要があるため、折り畳んだ状態で表示面とボタン面のポジショニングボタン（５番キーの突起）とが接触し、長い間使用していると表示面に傷が付いてしまうという問題点があった。
【０００５】
本発明は斯かる問題点を鑑みてなされたものであり、その目的とするところは、開閉検出にリードスイッチを使用し、表示面とボタン面とを密着させる必要がある場合にも、ポジショニングボタンの触感を維持した状態で、ポジショニングボタンが表示面に干渉することにより生じる表示面の傷を防止することができる折り畳み型携帯電話機を提供する点にある。
【課題を解決するための手段】
【０００６】
本発明は上記課題を解決すべく、以下に掲げる構成とした。
請求項１記載の発明の要旨は、表示画面が形成されている表示面と、操作ボタンが形成されているボタン面とが折り畳んだ際に対向する折り畳み型携帯電話機であって、前記操作ボタンの一部を触感のあるポジショニングボタンに形成させ、前記ポジショニングボタンに凹み部が形成され、前記凹み部内に突起部が形成され、折り畳んだ際に、前記突起部と対向する前記表示面との間にクリアランスが発生することを特徴とする折り畳み型携帯電話機に存する。
【発明の効果】
【０００７】
本発明の折り畳み型携帯電話機は、ポジショニングボタンに凹み部と突起とを形成することにより、開閉検出にリードスイッチを使用し、表示面とボタン面とを密着させる必要がある場合にも、ポジショニングボタンの触感を維持した状態で、ポジショニングボタンが表示面に干渉することにより生じる表示面の傷を防止することができるという効果を奏する。
【０００８】
さらに本発明の折り畳み型携帯電話機は、通常ボタンの表面部材とポジショニングボタンの表面部材とに触感が異なる材質を用いることにより、開閉検出にリードスイッチを使用し、表示面とボタン面とを密着させる必要がある場合にも、ポジショニングボタンの触感を維持した状態で、ポジショニングボタンが表示面に干渉することにより生じる表示面の傷を防止することができるという効果を奏する。
【発明を実施するための最良の形態】
【０００９】
以下、本発明の実施の形態を図面に基づいて詳細に説明する。なお、折り畳み型携帯電話機の場合を例にとって説明する。
【００１０】
（第１の実施の形態）
図１は、本発明に係る折り畳み型携帯電話機の第１の実施の形態のボタン面の断面図であり、図２は、本発明に係る折り畳み型携帯電話機の第１の実施の形態において折り畳み型携帯電話機を折り畳んだ状態での表示面とポジショニングボタンの位置関係を示す表示面とボタン面との断面図である。
【００１１】
第１の実施の形態のボタン面は、図１に示すように、フレーム１０と、通常ボタン１１と、ポジショニングボタン１２と、基板１７、基板１７上に配置されたスイッチ１６とからなり、通常ボタン１１もしくはポジショニングボタン１２を押下することにより、基板１７上に配置されたスイッチ１６が働くように構成されている。通常ボタン１１と、ポジショニングボタン１２とは、電話番号等を入力する操作ボタンであり、ポジショニングボタン１２は、通常ボタン１１とは触感が異なる操作ボタンであり、操作者にボタン配置を認識させるためのものである。
【００１２】
ポジショニングボタン１２には、凹み部１３が設けられるとともに、凹み部１３の中央に突起１４が形成され、凹み部１３と突起１４とに操作者が指で触れることにより、ポジショニングボタン１２の位置を確認することができる、すなわち触感のある構成となっている。
【００１３】
凹み部１３の形状および凹み量は、操作者が指で触れることにより認識できる範囲であれば、特に制限はなく、任意の形状および凹み量に設定できる。
【００１４】
突起１４の突出量１５は、凹み部１３の凹み量と同量以下に形成され、突起１４の先端とフレーム１０の面位置とが同じ高さもしくは突起１４の先端がフレーム１０の面位置より低くなるよう設定されている。
【００１５】
表示面は、図２に示すように、フレーム１０と、ＬＣＤ１８と、防塵クッション１９と、スクリーン２０とで構成されており、第１の実施の形態の折り畳み型携帯電話機を折り畳んだ際に、スクリーン２０がボタン面と対抗するが、ポジショニングボタン１２の突起１４とスクリーン２０の間にはクリアランス２１が発生するため、突起１４とスクリーン２０とが干渉しない構成となっている。
【００１６】
以上説明したように、第１の実施の形態によれば、ポジショニングボタン１２に凹み部１３と突起１４とを形成することにより、開閉検出にリードスイッチを使用し、表示面とボタン面とを密着させる必要がある場合にも、ポジショニングボタン１２の触感を維持した状態で、ポジショニングボタン１２が表示面に干渉することにより生じる表示面の傷を防止することができるという効果を奏する。
【００１７】
（第２の実施の形態）
図３は、本発明に係る折り畳み型携帯電話機の第２の実施の形態のボタン面の断面図である。
【００１８】
第２の実施の形態のボタン面は、フレーム１０と、通常ボタン１１と、ポジショニングボタン１２と、基板１７と、基板１７上に配置されたスイッチ１６とからなり、通常ボタン１１もしくはポジショニングボタン１２を押下することにより、基板１７上に配置されたスイッチ１６が働くように構成されている。
【００１９】
通常ボタン１１は、ポリカーボネイト２２上にペットフィルム２３を貼り付けることにより形成され、ポジショニングボタン１２は、ポリカーボネイト２２上にゴム材２４を貼り付けることにより形成されており、通常ボタン１１の表面部材であるペットフィルム２３とポジショニングボタン１２の表面部材であるゴム材２４とでは、触感が違うため、ポジショニングボタン１２の位置を確認することができる構成となっている。
【００２０】
なお、通常ボタン１１の表面部材とポジショニングボタン１２の表面部材とは、実施の形態に限定されることなく、摩擦係数、硬度等が異なることにより、操作者が指で触れて通常ボタン１１とポジショニングボタン１２との差異を認識できる表面部材であればどのような材質のものでも良い。
【００２１】
以上説明したように、第２の実施の形態によれば、通常ボタン１１の表面部材とポジショニングボタン１２の表面部材とに触感が異なる材質の部材を用いることにより、開閉検出にリードスイッチを使用し、表示面とボタン面とを密着させる必要がある場合にも、ポジショニングボタン１２の触感を維持した状態で、ポジショニングボタン１２が表示面に渉することにより生じる表示面の傷を防止することができるという効果を奏する。
【００２２】
本実施の形態では、ポジショニングボタン１２が１つの例を説明したが、ボタン面にポジショニングボタン１２を複数配設するように構成しても良い。ポジショニングボタン１２を複数配設する場合には、それぞれの触感を異ならせると好適であり、第１の実施の形態の場合には、凹み部１３の形状、突起１４の形状等を変え、第２の実施の形態の場合には、異なる触感の材質を用いる。
【００２３】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係る折り畳み型携帯電話機の第１の実施の形態のボタン面の断面図である。
【図２】本発明に係る折り畳み型携帯電話機の第１の実施の形態において折り畳み型携帯電話機を折り畳んだ状態での表示面とポジショニングボタンの位置関係を示す表示面とボタン面との断面図である。
【図３】本発明に係る折り畳み型携帯電話機の第２の実施の形態のボタン面の断面図である。
【符号の説明】
【００２５】
１０  フレーム
１１  通常ボタン
１２  ポジショニングボタン
１３  凹み部
１４  突起
１５  突出量
１６  スイッチ
１７  基板
１８  ＬＣＤ
１９  防塵クッション
２０  スクリーン
２１  クリアランス
２２  ポリカーボネイト
【図１】
2006067635.tif 000003
【図２】
2006067635.tif 000004
【図３】
2006067635.tif 000005